(57)【要約】【課題】本発明は、載置面に水平設置する場合でも載置面との間で熱が籠らない構成であり、載置面に小さい角度を付けて設置した場合でも安定した状態で支持でき、かつ、操作性に優れたが表示装置を得ることにある。【解決手段】表示画面が設けられた上面と、載置面側に位置する底面とを含む筺体を備えた表示装置であって、底面は、一側端部が上面側に傾斜した傾斜面と、傾斜面と対向する側端部に格納可能に設けられ、格納時に底面から突出する凸部を有する第１のチルト脚と、傾斜面に格納可能に設けられた第２のチルト脚とを有し、筐体を載置面に対して傾斜支持するとき、第１のチルト脚を突出させ、突出させた第１のチルト脚と傾斜面で支持し、筐体を載置面に対して水平支持するとき、第２のチルト脚を突出させ、突出させた第２のチルト脚と第１のチルト脚の凸部で支持することを特徴とする表示装置。【選択図】  図１
2014170468.tif 000002
【特許請求の範囲】
【請求項１】
表示画面が設けられた上面と、載置面側に位置する底面とを含む筺体を備えた表示装置であって、
前記底面は、
一側端部が上面側に傾斜した傾斜面と、
前記傾斜面と対向する側端部に格納可能に設けられ、格納時に底面から突出する凸部を有する第１のチルト脚と、
前記傾斜面に格納可能に設けられた第２のチルト脚とを有し、
前記筐体を載置面に対して傾斜支持するとき、前記第１のチルト脚を突出させ、突出させた前記第１のチルト脚と前記傾斜面で支持し、
前記筐体を載置面に対して水平支持するとき、前記第２のチルト脚を突出させ、突出させた前記第２のチルト脚と前記第１のチルト脚の凸部で支持することを特徴とする表示装置。
【請求項２】
前記第１のチルト脚と前記第２のチルト脚は、前記底面から突出した使用位置から底面中央側に回動して、前記底面に格納されることを特徴とする請求項１に記載の表示装置。
【請求項３】
前記底面は、突出させた前記第２のチルト脚と前記第１のチルト脚の凸部と同じ突出高さである第１の滑り止めを有することを特徴とする請求項１または請求項２に記載の表示装置。
【請求項４】
前記傾斜面は、第２の滑り止めを有することを特徴とする請求項１または請求項２に記載の表示装置。
【発明の詳細な説明】
【技術分野】
【０００１】
本発明は、例えばパーソナルコンピュータのモニタ装置として好適な表示装置に関する。
【背景技術】
【０００２】
例えば、パーソナルコンピュータ等のモニタ（以下、ＰＣモニタと称す。）として利用されるような表示装置は、技術の進歩に伴い、無線によってデータ通信を行うとともにバッテリーによって動作するため、自由に持ち運んで好きな場所で使用することができる。さらに、近年の表示装置では、タッチパネルを備え、ユーザーが指やタッチペンで直接表示画面に触れて操作できる表示装置も提供されている。そのため、表示装置の使用用途は多岐にわたり、ユーザーの使用状況によっては、上記表示装置を水平設置する方が好ましい場合、あるいは載置面に対し少しの角度を付けて設置する方が好ましい場合がある。
【０００３】
しかし、ユーザーは、この表示装置を上記のように少しの角度を付けて設置し使用する際には、各表示装置に適したスタンド等の部品を別途購入し、表示装置に取り付ける必要があった。
【０００４】
上記のような背景から、特許文献１に記載される表示装置２０のように、装置筺体に格納可能なスタンド２１を備え、多段階の角度を付けて設置できる表示装置が提案されている。図６は、特許文献１記載の表示装置２０の背面視を示した図である。特許文献１記載の表示装置２０では、筺体の底面にスタンド２１がヒンジ２２を介して回動可能に取り付けられている。ユーザーは、このスタンド２１を利用して、表示装置２０を載置面に対し多段階の角度を設けて設置することができる。
【先行技術文献】
【特許文献】
【０００５】
【特許文献１】特開２００５−３１５５５
【発明の概要】
【発明が解決しようとする課題】
【０００６】
しかしながら、特許文献１に記載の表示装置２０は、平置きするには筐体底面を平らとする必要があるが、スタンド２１を筺体底面に格納した状態でも、ＰＣモニタ等では、底面に入力端子や、別体のスタンドを取り付けるための取付部などが設けられ、これらが凹凸になり、水平設置時に安定して設置することが出来なかった。
【０００７】
また、特許文献１記載の表示装置２０は、載置面に対し小さい角度で設置されている際、指やタッチペンで入力するには不安定な状態で支持されるといった課題がある。図７は、載置面に対し３０°の角度を設けて表示装置２０を設置した状態の側面図を示す。
【０００８】
特許文献１記載の表示装置２０は、載置面に対し３０°以下の小さい角度を付けて設置される場合には、図７で示すように、表示装置２０の筺体底面からスタンド２１を回動させ、そのスタンド２１の先端と筺体の角で支持されることになる。
【０００９】
したがって、特許文献１に記載の表示装置２０は、載置面との接地面積が小さく、長いスタンド２１の回動角を大きくしなければならいないので、表示画面に指やタッチペンで入力する押圧に耐え得る程、安定して支持されておらず、操作性がよくないといった課題がある。
【００１０】
本発明は、上記事情に鑑みてなされたものであり、その目的とするところは、載置面に水平に設置する場合でも載置面との間で熱が籠らない構成であり、載置面に小さい角度を付けて設置した場合でも安定した状態で支持でき、かつ、操作性に優れたが表示装置を得ることにある。
【課題を解決するための手段】
【００１１】
表示画面が設けられた上面と、載置面側に位置する底面とを含む筺体を備えた表示装置であって、底面は、一側端部が上面側に傾斜した傾斜面と、傾斜面と対向する側端部に格納可能に設けられ、格納時に底面から突出する凸部を有する第１のチルト脚と、傾斜面に格納可能に設けられた第２のチルト脚とを有し、筐体を載置面に対して傾斜支持するとき、第１のチルト脚を突出させ、突出させた第１のチルト脚と傾斜面で支持し、筐体を載置面に対して水平支持するとき、第２のチルト脚を突出させ、突出させた第２のチルト脚と第１のチルト脚の凸部で支持することを特徴とする。
【発明の効果】
【００１２】
本発明では、水平設置する場合でも載置面との間で熱が籠らない構成であり、載置面に小さい角度を付けて設置した場合でも安定した状態で支持でき、かつ、操作性に優れたが表示装置を得ることができる。
【図面の簡単な説明】
【００１３】
【図１】本発明の実施形態に係るＰＣモニタの正面図である。
【図２】本発明の実施形態に係るＰＣモニタの側面図である。
【図３】本発明の実施形態に係るＰＣモニタの背面図である。
【図４】本発明の実施形態に係るＰＣモニタを載置面に対し水平に設置した状態の側面図である。
【図５】本発明の実施形態に係るＰＣモニタを載置面に対して小さい角度を設けて設置した状態の側面図である。
【図６】特許文献１記載の従来の表示装置の背面図である。
【図７】特許文献１記載の従来の表示装置を載置面に対し角度を付けて設置した状態を示す側面図である。
【発明を実施するための形態】
【００１４】
本発明に係る表示装置の実施形態について、図面を詳細に参照しながら以下に説明する。なお、以下の実施形態は本発明が具現化された一例にすぎず、本発明の要旨を変更しない範囲で、実施形態が適宜変更され得ることは勿論である。
【００１５】
以下、実施形態として、本願発明の表示装置の一例であるＰＣモニタ１について図面を用いて説明する。
【００１６】
図１は、本発明の実施形態に係るＰＣモニタ１の正面図を示す。ＰＣモニタの上面２には、図１に示すように、タッチパネルを内蔵した指やタッチペン等で直接入力できる表示画面７が備えられている。
【００１７】
また、図２は、ＰＣモニタ１の側面図を示す。ＰＣモニタの側面４には、図２に示すように、電源スイッチ等の操作ボタン８や映像・音声の入出力端子９、電源コアの収納部１０、熱を放熱するための第１の通気孔１１が設けられている。上面２と対向する底面３には、一側端部が上面側に傾斜した傾斜面６が設けられている。
【００１８】
さらに、図３は、ＰＣモニタ１の背面図を示す。ＰＣモニタ１の底面３には、図３に示すように、格納可能な第１のチルト脚１２、第１の滑り止め１３、取付部１４、第２の通気孔１５を備えている。
【００１９】
第１のチルト脚１２は、底面３の後面５側の一端に位置し、底面３の幅方向に沿って延びて備えられている。第１のチルト脚１２は、ＰＣモニタ１の底面３に格納される格納位置と、格納位置から外側に突出させた使用位置との間で、図示しない連結部によって回動可能に連結されており、筺体を載置面に対し傾斜させて支持する際に使用される。また、第１のチルト脚１２は、図２に示すように、底面３に格納された格納位置にあるときは、底面３から突出する凸部１６を備えている。
【００２０】
第１の滑り止め１３は、底面３中央部の２箇所に突出して設置されている。また、取付部１４は、底面３中央部に４箇所備えられている。この取付部１４は、スタンドや壁に固定し支持するためのビス穴として設けられている。第２の通気孔１５は、底面３の幅方向の両端２箇所に設けられている。
【００２１】
底面３の一側端部に設けられた傾斜面６には、図３に示すように、格納可能な第２のチルト脚１７、第２の滑り止め１８が備えられている。
【００２２】
第２のチルト脚１７は、図３に示すように、傾斜面６の幅方向の両端に２箇所設けられている。この第２のチルト脚１７は、傾斜面６に格納される格納位置と、傾斜面６にある格納位置から外側に突出させた使用位置との間で、図示しない連結部によって回動可能に連結されており、筺体を載置面に対し水平に支持する際に使用される。また、この第２のチルト脚１７は、傾斜面６に格納される格納位置にあるときには、傾斜面６から突出することなく、平らになっている。また、第２の滑り止め１８は、傾斜面６と上面２が連結している端部に２箇所に設置されている。
【００２３】
以下、上記構成を有するＰＣモニタ１を、載置面１９に水平に設置した状態について説明する。図４は、ＰＣモニタ１を載置面１９に対し、水平に設置した場合の状態を示す側面図である。
【００２４】
ＰＣモニタ１は、ＰＣモニタ１を水平設置する場合には、図４に示すように、第１のチルト脚１２を格納させ、第２のチルト脚１７を外側に回動し傾斜面６から突出させる。第２のチルト脚１７の先端は、傾斜面６から突出されると、格納位置にある第１のチルト脚１２表面にある凸部１６及び底面３中央部に設置されている第１の滑り止め１３の先端と同一面上に位置するようになっている。
【００２５】
したがって、ＰＣモニタ１は、この突出された第２のチルト脚１７と、第１のチルト脚１２の凸部１６、第１の滑り止め１３で載置面１９に支持される。第２のチルト脚１７は、格納位置から外側に回動し、筺体のより外側の位置で支持することで、より安定して筺体を支持することができる。
【００２６】
また、ＰＣモニタ１の底面３には、取付部１４のような凹凸が設けられているが、凸部１６や第２のチルト脚１７、第１の滑り止め１３を底面３の凹凸よりも突出させることにより、ＰＣモニタ１を載置面１９に対し水平設置して、ユーザーが入力表示画面７を指で押したり、タッチペンで記入したりしても、がたつくことはなく安定して支持することが可能である。
【００２７】
続いて、ＰＣモニタ１を載置面１９に対し、角度を付けて設置した状態について、図面に基づいて説明する。図５は、ＰＣモニタ１を載置面１９に対し角度を付けて設置した状態の側面図を示す。
【００２８】
図５に示すように、ＰＣモニタ１を載置面１９に対し角度を付けて設置する場合には、第１のチルト脚１２を外側に回動させ底面３から突出させる。回動させた第１のチルト脚１２の先端は、載置面１９に突き当たり、傾斜面６に設けられた第２の滑り止め１８と同一面上に位置するようになっている。
【００２９】
このため、ＰＣモニタ１は、第１のチルト脚１２を回動させることで、第１のチルト脚１２の先端と第２の滑り止め１８により、傾斜面６に沿って載置面１９に支持される。第１のチルト脚１２は、格納位置から外側に回動し、筺体のより外側の位置で支持することで、より安定して筺体を支持することができる。
【００３０】
上記構成によれば、ＰＣモニタ１は、底面３に取付部１４のような凹凸が設けられていても、底面３から突出させた第２のチルト脚１７の先端と凸部１６を凹凸よりも突出させることにより、がたつくことなく安定して載置面に対し水平に設置することができる。
【００３１】
また、傾斜面６でも載置面１９に支持されることで、従来例とは異なり、接地面積が大きくなり、安定して支持されることが可能になる。また、ＰＣモニタ１は、載置面１９との接地面積が大きくなったことで、表示画面７に直接指やタッチペン等で入力する際の圧力による負荷がＰＣモニタ１の一部に掛かることを防ぐことができる。
【００３２】
さらに、ＰＣモニタ１は、従来例に比べて、支持される第１のチルト脚１２の長さが短く、第１のチルト脚１２が回動する位置と載置面が近い。したがって、ＰＣモニタ１は、指やタッチペンによる押圧が強かったとしても安定して支持することができ、優れた操作性を実現することができる。
【００３３】
なお、上述した実施形態１は、表示装置の一例としてＰＣモニタ１について説明したが、本発明に係る表示装置は、タブレット型携帯端末やテレビジョンのような表示装置全般に広く適用することが可能である。
【符号の説明】
【００３４】
１    ＰＣモニタ
２    上面
３    底面
４    側面
５    後面
６    傾斜面
７    入力表示画面
８    操作ボタン
９    入出力端子
１０  電源端子
１１  第１の通気孔
１２  第１のチルト脚
１３  第１の滑り止め
１４  取付部
１５  第２の通気孔
１６  凸部
１７  第２のチルト脚
１８  第２の滑り止め
１９  載置面
２０  表示装置
２１  スタンド
２２  ヒンジ
【図１】
2014170468.tif 000003
【図２】
2014170468.tif 000004
【図３】
2014170468.tif 000005
【図４】
2014170468.tif 000006
【図５】
2014170468.tif 000007
【図６】
2014170468.tif 000008
【図７】
2014170468.tif 000009